(57)【要約】【課題】流体が封入された袋の交換が簡単に行うことができ、作業性、経済性に優れた付け替え式ディスペンサを提供することを目的とする。【解決手段】流体が封入された袋と、袋を出し入れ自在に収容するホルダーと、ホルダーとヒンジ機構により連接するケーシングと、ケーシングに設けられた流体吐出手段と、袋の開口と流体吐出手段とを繋ぐコネクタとを備えてなり、ホルダーおよびケーシングの少なくとも１つを回動させて他方に近づけることにより、雄部材が雌部材の貫通孔に挿入され、一方、ホルダーおよびケーシングの少なくとも１つを回動させて他方から引き離すことにより、雄部材が雌部材の貫通孔から引き抜かれるようになっていることを特徴とする。【選択図】  図10
2008308221.tif 000002
【特許請求の範囲】
【請求項１】
流体が封入された袋と、袋を出し入れ自在に収容するホルダーと、
ホルダーとヒンジ機構により連接するケーシングと、ケーシングに設けられた流体吐出手段と、袋の開口と流体吐出手段とを繋ぐコネクタとを備えてなり、
袋の開口に固定されかつ内外両端に開口した貫通孔を有する雌部材と、雌部材の内端部に係合して貫通孔を閉鎖するプラグと、ケーシングに流体吐出手段と接続するように設けられかつ雌部材の外端部から貫通孔に挿入される雄部材とを備えており、雄部材は、内部に軸方向にのびる流体通路を有しかつ先端付近に周面に開口した連通孔を有する棒状部と、棒状部の先端にプラグに係合する頭部を備えたものであって、雌部材の貫通孔に挿入されることにより、頭部がプラグに接してプラグが雌部材の内端部から離れえるとともに連通孔が袋内に臨ませられ、一方、雌部材の貫通孔から引き抜かれることにより、頭部に同伴して移動したプラグが雌部材の内端部に係合して貫通孔を閉鎖するとともに頭部がプラグから外れるようになっているものであって、ホルダーおよびケーシングの少なくとも１つを回動させて他方に近づけることにより、雄部材が雌部材の貫通孔に挿入され、一方、ホルダーおよびケーシングの少なくとも１つを回動させて他方から引き離すことにより、雄部材が雌部材の貫通孔から引き抜かれるようになっていることを特徴とする、ディスペンサ。
【請求項２】
ホルダーに雌部材を雄部材の軸方向に保持するための保持手段が設けられていることを特徴とする請求項１記載のディスペンサ。
【請求項３】
ホルダーおよびケーシングの少なくとも１つを回動させた際、回動軌道の接線に対して、少なくとも雌部材の軸を雌部材の外端部側が接線の内側になるよう傾斜させて雌部材をホルダーに設置または雄部材の軸を雄部材の頭部側が接線の内側になるよう傾斜させて雄部材を設置していることを特徴とする請求項１から２記載のディスペンサ。
【請求項４】
ケーシングは設置面に固定されており、ホルダーを覆い被さるようにケーシングを開閉するフロントカバーが設けられていることを特徴とする請求項1から３記載のディスペンサ。
【請求項５】
流体吐出手段がフォームポンプであることを特徴とする請求項1から４記載のディスペンサ。
【発明の詳細な説明】
【技術分野】
【０００１】
この発明は、シャンプー、リンス、液体石鹸、洗浄剤、飲料、調味料などの流体を供給するための付け替え式ディスペンサに関する。
【背景技術】
【０００２】
例えば、壁面などに固定されて使用するこの種のディスペンサとしては、ポンプ等の流体吐出手段が一体的に取り付けられ流体が封入された袋を、ホルダーに収容することにより交換するディスペンサが知られている（下記特許文献1参照）。
内容物を使い切った後、袋を交換する際は、毎回ポンプ等の吐出手段も交換しないとならないため、経済的な問題があった。
【０００３】
この種の別のディスペンサとしては、流体が封入された袋と、袋が出し入れ自在に収容されえるケーシングと、ケーシングに設けられたポンプ等の流体吐出手段と袋の開口と流体吐出手段とを繋ぐコネクタを備えたものが知られている（下記特許文献２参照）。
【０００４】
コネクタとしては、例えば、下記特許文献３に記載の通り、袋の開口に固定されかつ内外両端に開口した貫通孔を有する雌部材と、袋の内側に位置する雌部材の内端部に係合して貫通孔を閉鎖するプラグと、袋の外側に位置する雌部材の外端部から貫通孔に挿入される雄部材とを備えてなる、再封止機構を有するものが用いられている。
雄部材は、内部に軸方向にのびる流体通路を有しかつ先端付近に周面に開口した連通孔を有する棒状部と、棒状部の先端にプラグに係合する頭部を備えており、ケーシングに流体吐出手段と接続するように設けられている。
雄部材を雌部材の外端部から貫通孔に挿入すると、雄部材の頭部がプラグに接してプラグが雌部材の内端部から離れえるとともに連通孔が袋内に臨ませられるため、袋内の流体を流体吐出手段によって吐出させることができる。
一方、袋内の流体を使い切った後、雄部材を雌部材の貫通孔から引き抜くことにより、プラグが頭部に同伴して移動し雌部材の内端部に係合して貫通孔を閉鎖するとともに頭部がプラグから外れるようになっている。
従来の取替え式ディスペンサにあっては、袋をケーシングにセットする際に、その開口に固定された雌部材を手で持って雄部材が雌部材の貫通孔に挿入されるように操作する必要があったが、そのような操作は使用者には判り難く、接続作業がし難いという問題があった。
また、内容物を使い切った袋をケーシングから取り外す際には、袋の開口の雌部材を手で持って雄部材から引き離す必要があり、手では取り外し難いという問題があった。
【特許文献１】特開２００４-３３１１１５号公報
【特許文献２】特表平８−５０２４３１号公報
【特許文献３】特表２００１−５１１４１６号公報
【発明の開示】
【発明が解決しようとする課題】
【０００５】
この発明は上記の問題点を解消するためになされたものであり、流体が封入された袋の取り付けおよび取り外しが簡単に行うことができ、作業性、経済性に優れた付け替え式ディスペンサを提供することを目的とする。
【課題を解決するための手段】
【０００６】
第１の課題解決手段によるディスペンサは、流体が封入された袋と、袋を出し入れ自在に収容するホルダーと、ホルダーとヒンジ機構により連接するケーシングと、ケーシングに設けられた流体吐出手段と、袋の開口と流体吐出手段とを繋ぐコネクタとを備えてなり、袋の開口に固定されかつ内外両端に開口した貫通孔を有する雌部材と、雌部材の内端部に係合して貫通孔を閉鎖するプラグと、ケーシングに流体吐出手段と接続するように設けられかつ雌部材の外端部から貫通孔に挿入される雄部材とを備えてなり、雄部材は、内部に軸方向にのびる流体通路を有しかつ先端付近に周面に開口した連通孔を有する棒状部と、棒状部の先端にプラグに係合する頭部を備えたものであって、
雌部材の貫通孔に挿入されることにより、頭部がプラグに接してプラグが雌部材の内端部から離れえるとともに連通孔が袋内に臨ませられ、一方、雌部材の貫通孔から引き抜かれることにより、頭部に同伴して移動したプラグが雌部材の内端部に係合して貫通孔を閉鎖するとともに頭部がプラグから外れるようになっているものであって、
ホルダーおよびケーシングの少なくとも１つを回動させて他方に近づけることにより、雄部材が雌部材の貫通孔に挿入され、一方、ホルダーおよびケーシングの少なくとも１つを回動させて他方から引き離すことにより、雄部材が雌部材の貫通孔から引き抜かれるようになっていることを特徴とする。
【０００７】
第２の課題解決手段によるディスペンサは、第１の課題解決手段において、ホルダーに雌部材を雄部材の軸方向に保持するための保持手段が設けられていることを特徴とする。
【０００８】
第３の課題解決手段によるディスペンサは、第１または第２の課題解決手段において、ホルダーおよびケーシングの少なくとも１つを回動させた際、回動軌道の接線に対して、少なくとも雌部材の軸を雌部材の外端部側が接線の内側になるよう傾斜させて雌部材をホルダーに設置または雄部材の軸を雄部材の頭部側が接線の内側になるよう傾斜させて雄部材を設置していることを特徴とする。
【０００９】
第４の課題解決手段によるディスペンサは、第１から第３の課題解決手段において、ケーシングは設置面に固定されており、ホルダーを覆い被さるようにケーシングを開閉するフロントカバーが設けられていることを特徴とする。
【００１０】
第５の課題解決手段によるディスペンサは、第１から第３の課題解決手段において、流体吐出手段がフォームポンプであることを特徴とする。
【発明の効果】
【００１１】
第１の課題解決手段のディスペンサによれば、流体が封入された袋の取り付けおよび取り外し時に、ヒンジ機構を利用してホルダー、ケーシングを回動させることにより小さな力で簡単に袋の取り付け、取り外しをすることができる効果がある。
【００１２】
第２の課題解決手段のディスペンサによれば、雌部材を雄部材の軸方向に保持するための保持手段が設けられているために、雄部材を雌部材の外端部から貫通孔に挿入および雄部材を雌部材の貫通孔から引き抜きを確実に行うことが可能なディスペンサを提供できるという効果がある。
【００１３】
第３の課題解決手段のディスペンサによれば、回動軌道の接線に対して、少なくとも雌部材の軸および雄部材の軸のどちらかを傾斜させて設置しているため、雄部材の頭部先端部が雌部材の内端部に係合されたプラグの下方先端部に接触しないため、袋の取り付けおよび取り外しを繰り返しても、流体の液漏れを生じることのないディスペンサを提供できるという効果がある。
【００１４】
第４の課題解決手段のディスペンサによれば、ケーシングが壁面に固定された状態においても、袋の取り付けおよび取り外しが容易に行うことが可能なディスペンサを提供できるという効果がある。
【００１５】
第５の課題解決手段のディスペンサによれば、吐出手段がフォームディスペンサであることにより、袋の取り付けおよび取り外しが容易に行うことが可能なフォームタイプのディスペンサを提供できるという効果がある。
【発明を実施するための最良の形態】
【００１６】
以下、本発明の実施形態を、図を参照しながら説明するが、本発明は実施例のみに限定されるものではない。
【００１７】
図1は本発明によるディスペンサ１の実施形態を示す斜視図である。図２（ａ）〜（ｃ）はそれぞれディスペンサ1の背面図、側面図、底面図である。
図３はフロントカバー９を開けた状態のディスペンサ１の側面図であり、図４はフロントカバーを開けて、袋を取り外した状態のディスペンサの斜視図である。
このディスペンサ１はケーシング２と、流体が封入された袋３と、袋３を取り出し自在に収容するホルダー４と、ケーシング２に設けられたポンプ５と、袋３の開口とポンプ５を繋ぐコネクタ６、７、８（図７、図８参照）と、ケーシング２を開口するフロントカバー９とを備えている。
【００１８】
袋３は軟包材であり、ポリエチレン（ＰＥ）等の熱可塑性樹脂層を両面または片面に有する積層フィルムをヒートシールすることにより形成される。
【００１９】
ケーシング２は樹脂で形成されており、壁面に固定されている背面部材２１と背面部材２１の下部にほぼ垂直に伸びる底面部材２２からなる。底面部材２２は、袋３を装着するホルダー４、ホルダー４を覆うフロントカバー９と、それぞれヒンジ機構２０１、２０２を介して連接されている。
【００２０】
ケーシング２の背面部材２１の中央には軸方向にロック部材２１１が設けられている。ロック部材２１１は略Y字状であり上部にはバネ機構２１２が一体に成形されている。ロック部材２１１の左右先端にフロントカバー９内側部上方に設けられた係合部９６と係合する爪部２１３が設けられている。ケーシング２の底面からロック部材２１１を上方に押し上げることにより爪部２１３と係合部９６との係合が外れてフロントカバー９が開くようになっている。
【００２１】
フロントカバー９は樹脂で形成されえており、ケーシング２のロック部材２１１を上方に押し上げることにより開くことができる。フロントカバー９の下方中央部にはヒンジ機構によりフロントカバー９に支持される押込部材９１が設けられている。押込部材９１の底面にはポンプ５のプッシュボタン５１の先端ノズル５２が露出するよう孔９２が設けられている。孔９２にはノズル５２の両側面を固定するガイド９３が設けられている。押込部材９１中央付近には窓９４が設けられており、袋３内の流体の残量を確認できる。押込部材９１裏面には押込部材９１が押した際に元に戻るように金属製の１対の板バネ９５が設けられている。
押込部材９１を押込むことによりポンプ５のプッシュボタン５１が押され、吐出ノズル５２から泡状の内容物が吐出される。
【００２２】
ホルダー４は樹脂で形成されており、ホルダー４を倒した際に、上方から袋３を装着させるための保持手段が設けられている。保持手段としては、ホルダー４底面に設けられた保持壁４１が袋３の雌部材６に設けられた第１フランジ６３部と第２フランジ部６５との間に挟まれることにより達成される。雌部材６をホルダー４に固定する際、雌部材６はホルダー４に対して完全に固定されるのではなく、第１フランジおよび第２フランジと、保持壁４１との間には遊びを持たせるべく、隙間をあけることがより好ましい。
【００２３】
図５は底面部材２２の斜視図である。底面部材２２には固定部材２３１（図６参照）およびポンプ５（図７参照）を収納する一対の固定壁２２１と、固定壁２２１の内側に垂直方向に固定部材２３１の筒状体２３２と当接する突出壁２２２と、固定壁２２１の外側上部には固定部材２３１の把持部２３８と係合する被把持部２２３が設けられている。底面部材２２の前面は、ポンプ５形状に合わせてＵ字状に切り抜かれている。
底面部材２２には一対の支持板２２４が上向きに設けられている。支持板２２４にはそれぞれ支持孔２２５が設けられ、ヒンジ機構２０１を介してホルダー４を支持している。ホルダー４が倒れすぎないように停止部２２６が設けられている。支持板２２４の下部には固定壁２２１を貫いて支持孔２２７が設けられており、ヒンジ機構２０２を介してフロントカバー９を支持している。
【００２４】
図６は固定部材２３１の斜視図、図７は固定部材２３１を説明するための図である。固定部材２３１は下方にポンプ５を装着するためのポンプ５形状に合わせた貫通孔を備える筒状体２３２と、その上部に雄部材８をスライドして装着するための凹部２３３を施した嵌合孔２３４と、その先に環状体２３５を備えている。筒状体２３２と環状体２３５はＵ字管２３６で接続されている。Ｕ字管２３６は柔軟性を有する樹脂で形成されていることが好ましい。嵌合孔２３４の外側上面は横から雄部材８が嵌るように雄部材８の棒状部８２の形状に切り抜かれている。
固定部材２３１は上方に角状部２３７が水平方向に２つ設けられている。角状部２３７は底面部材２２と係合するための把持部２３８とその上方に掴み部２３９が設けられている。掴み部２３９を手で内側に掴むことにより、把持部２３８が外側に広がり固定部材２３１が底面部材２３から取り外すことができる。角状部２３７の上方には掴み部２３９を内側に掴んだ際当接する当接体２４０が設けられている。
ポンプ５はピストン、ばねおよび逆止弁が内装されたフォームタイプのものである（図示略）。ポンプ５の機構は特に限定されるものではない。
【００２５】
図８はコネクタについて示した図である。図８（ａ）は雌部材６、（ｂ）雄部材８について示した図である。コネクタに関する説明において、「上下」「左右」は図のそれらを言い、「前」は図に向かって手前、「後」はこれに向かって奥を言うものとする。
コネクタは、フィルム製の袋３に開口に固定されかつ上下両端に開口した貫通孔６０を有する雌部材６と、雌部材６の上端部（内端部）に係合して貫通孔を閉鎖するプラグ７と、雌部材６の下端部（外端部）から貫通孔６０に挿入される雄部材８とからなる。
【００２６】
雌部材６は、樹脂で形成されており、袋３の開口に融着や接着等の適宜固定手段で固定される２つの側面を形成するための舟形の基部６１と、基部６１の上端から突出しかつ先端部に環状内方凸部６６を有する係止部６２と、基部６１の下端に形成された環状の第１フランジ部６３と、基部６１の下端から突出した筒状部６４と、筒状部の先端に形成された第２フランジ部６５とを備えている。
【００２７】
プラグ７は雌部材６と一体に成形されたキャップ状のものであって、左右２つの可撓性連結部材７１を介して雌部材６の基部６１に連結されている。プラグ７の周壁内面は、頂壁に向かって漸次縮径されている。プラグ７の周壁の下半部は、雌部材６の係止部６２に嵌め込まれるようになっている。周壁外面の高さ中間に環状段差７２が形成され、この環状段差７２に雌部材６の係合部６２先端が受けられるようになっている。プラグ７の下半部外面には、係合部６２の環状内方凸部６６と係合する環状外方凸部７３が形成されている。また、プラグ７の下端部内面には、環状内方凸部７４が形成されている。
【００２８】
雄部材８は、内部に軸方向にのびる流体通路８１を有しかつ先端付近に周面に開口した連通孔８２１を有する棒状部８２と、棒状部８２の先端にプラグ７に係合する頭部８３と、流体の流れを軸方向に対して垂直に曲げる管状部８４と、雄部材８を固定部材２３１に固定する座部８５とを備えている。流体通路の下端には通路を封鎖する栓部８６が嵌め込まれている。雄部材８は金属または樹脂により形成されている。
頭部８３の外周面は、先端に向かって、漸次縮径されており、プラグ７の内部に嵌合されるようになっている。また、頭部８３の基端部外面に、プラグ７の環状内方凸部が係合される環状溝８７が形成されている。
棒状部８２は先端より所定の長さにわたり径小部８２２、径中部８２３、径大部８２４が設けられている。連通孔８２１は径小部８２２の周面に等間隔で複数形成されている。径中部８２３にはＯリング８７を取り付けることができるように環状凹溝８２５が全周にわたり設けられている。このＯリング８７は必ずしも必要ではないが、このＯリング８７により雌部材６の貫通孔６０と雄部材８の棒状部８２外周面との間が完全にシールされる。雄部材８が雌部材６の貫通孔６０に挿入された際、径大部８２４の上面は雌部材６の第２プランジ６５と当接し、停止させることができる。
座部８５は固定部材２３１に固定するための複数のリブ８５１が設けられている。管状部８４の先端は漸次縮径されている。Ｏリング８８を取り付けることができるように環状凹溝８５２が全周にわたり設けられている。
【００２９】
図９〜図１２において、袋３の付け替え方法について説明する。
まずフロントカバー９を開けてホルダー４を倒し、上方向からホルダー４に袋３を装着する。雌部材６の第１フランジと第２フランジの間にホルダー４底面に設けられた保持壁４１を通し、袋３を固定する。次にホルダー４を手で持ってヒンジ機構２０１を支点にケーシング２の背面部材２１方向に向かって回動させる。
雄部材８が雌部材６の貫通孔６０に挿入されることにより、雌部材６の係合部６２に係合していたプラグ７に雄部材８の頭部８３が嵌合する。次に、プラグ７が雄部材８に押されて雌部材６の係合部６２から外れる。さらに、雄部材８が貫通孔６０に挿入され棒状部８２の連通孔８２１が袋３内に望む位置まで移動する。袋３内の流体が雄部材８の流体通路８１を通って、吐出させることができる。
【００３０】
一方、ホルダー４を押し倒すと、雌部材６の貫通孔６０から雄部材８が引き抜かれる。雄部材８の頭部８３にプラグ７が嵌合したまま、雌部材６の係合部にプラグ７が係合され、貫通孔６０が閉鎖される。次に、雄部材８の頭部８３とプラグ７とが外れる。従って、ホルダー４をヒンジ運動させることにより雄部材８と雌部材６とを小さな力で簡単に接続させることが可能であり、袋の交換が容易にできる。
【００３１】
ホルダー４を回動させた際、回動軌道の接線に対して、雌部材６の軸を雌部材６の第２フランジ側６５が接線の内側になるよう傾斜させて雌部材６をホルダー４に設置している。雌部材６の貫通孔６０に挿入された雄部材８の頭部８３が貫通孔６０の壁面に沿って奥に差し込まれた際、雌部材６の内端部に係合されたプラグ７の下半部先端に接触することがない。頭部８３がプラグ７の下端部先端に接触することにより、内容物の液漏れの原因となるプラグ７の下端部の環状外方凸部７３もしくは環状内方凸部７４の破損を確実に防止できる。実施例では、雌部材を傾斜させているが、回動軌道の接線方向に対して、雄部材８の軸を雄部材８の頭部８３側を軌道の内側に傾斜させても構わないし、雌部材および雄部材を傾斜させても構わない。
【図面の簡単な説明】
【００３２】
【図１】本発明によるディスペンサの実施形態を示す斜視図である。
【図２】ディスペンサの背面図、側面図、底面図である。
【図３】フロントカバーを開けた状態のディスペンサの側面図である。
【図４】フロントカバーを開けて、袋を取り外した状態のディスペンサの斜視図である。
【図５】底面部材の斜視図である。
【図６】固定部材の斜視図である。
【図７】固定部材を説明するための図である。
【図８】コネクタを示す図である。
【図９】袋の付け替え方法について示す図である。
【図１０】袋の付け替え方法について示す図である。
【図１１】袋の付け替え方法について示す図である。
【図１２】ディスペンサを使用している状態のコネクタを示す図である。
【符号の説明】
【００３３】
１  ディスペンサ  
２  ケーシング
３  袋
４  ホルダー
５  ポンプ
６  雌部材
７  プラグ
８  雄部材
９  フロントカバー
【図１】
2008308221.tif 000003
【図２】
2008308221.tif 000004
【図３】
2008308221.tif 000005
【図４】
2008308221.tif 000006
【図５】
2008308221.tif 000007
【図６】
2008308221.tif 000008
【図７】
2008308221.tif 000009
【図８】
2008308221.tif 000010
【図９】
2008308221.tif 000011
【図１０】
2008308221.tif 000012
【図１１】
2008308221.tif 000013
【図１２】
2008308221.tif 000014